(57)【要約】      （修正有）【課題】邪魔にならずに、地震などの振動による筺体の転倒を防ぐことができる転倒防止装置およびそれを備えた鍵盤楽器を提供する。【解決手段】楽器ケース１の後端下部に設けられたロック軸１１と、楽器ケース１が配置される載置面Ｔ上に配置されて、ロック軸１１を上下方向にガイドするガイド孔１８を有する支持部材１２と、この支持部材１２に取り付けられ、楽器ケース１の後端下部を押し上げた状態でロック軸１１をガイド孔１８の上部に支持し、かつ前記筺体に対して設定値以上の振動が加えられた場合に、当該支持された前記ロック軸が前記ガイド部の上部から外れるように構成されたロック支持機構部１３と、を備えている。従って、楽器ケース１が地震などの振動を受けた際に、ロック支持機構部１３によって、ロック軸１１に対するロックを外すことができるので、楽器ケース１の後端下部を下げて楽器ケース１を後方に傾けることができる。【選択図】図３
2015079136.tif 000002
【特許請求の範囲】
【請求項１】
筺体の後端部に設けられたロック軸と、
前記筺体が配置される載置面上に配置され、前記ロック軸を上下方向にガイドするガイド部を有する支持部材と、
この支持部材に取り付けられ、前記筺体の後端部を押し上げた状態で前記ロック軸を前記ガイド部の上部に支持し、かつ前記筺体に対して設定値以上の振動が加えられた場合に、当該支持された前記ロック軸が前記ガイド部の上部から外れるように構成されたロック支持機構部と、
を備えていることを特徴とする転倒防止装置。
【請求項２】
請求項１に記載の転倒防止装置において、前記支持部材は、前記ガイド部が設けられ、前記筺体の後部下側に配置される第１支持体と、前記ロック支持機構部が取り付けられ、前記第１支持体の後端部から前記筺体の後方に突出した状態で配置される第２支持体と、を備えていることを特徴とする転倒防止装置。
【請求項３】
請求項１または請求項２に記載の転倒防止装置において、前記ロック支持機構部は、前記ガイド部に沿って上下方向に移動する前記ロック軸の移動軌跡上に出没可能に突出して前記ロック軸を前記ガイド部の上部に支持する支持突起部と、この支持突起部を前記ロック軸の前記移動軌跡上に向けて付勢する付勢部材とを備えていることを特徴とする転倒防止装置。
【請求項４】
請求項１〜請求項３のいずれかに記載の転倒防止装置において、前記ロック支持機構部は、前記ロック軸を支持してロックする支持力を調整する調整部材を備えていることを特徴とする転倒防止装置。
【請求項５】
請求項１〜請求項４のいずれかに記載された転倒防止装置を備えていることを特徴とする鍵盤楽器。
【発明の詳細な説明】
【技術分野】
【０００１】
この発明は、鍵盤楽器や家具などの転倒を防止する転倒防止装置およびそれを備えた鍵盤楽器に関する。
【背景技術】
【０００２】
例えば、箪笥などの家具においては、特許文献１に記載されているように、家具の前端下部と床などの載置面との間に転倒防止具を配置し、家具を壁にもたれ掛ける姿勢にして、地震による家具の前方への転倒を防ぐように構成されたものが知られている。
【先行技術文献】
【特許文献】
【０００３】
【特許文献１】特開平０８−３３２１３１号公報
【発明の概要】
【発明が解決しようとする課題】
【０００４】
このような転倒防止具では、家具の前端下部から前側に突出して配置されているため、邪魔であるばかりか、足先をぶつけ怪我をする恐れがある。また、この転倒防止具を鍵盤楽器に用いた場合には、鍵盤部が前上がりに傾くため、演奏し難いという問題もある。
【０００５】
この発明が解決しようとする課題は、邪魔にならずに、地震などの振動による筺体の転倒を防ぐことができる転倒防止装置およびそれを備えた鍵盤楽器を提供することである。
【課題を解決するための手段】
【０００６】
この発明は、筺体の後端部に設けられたロック軸と、前記筺体が配置される載置面上に配置され、前記ロック軸を上下方向にガイドするガイド部を有する支持部材と、この支持部材に取り付けられ、前記筺体の後端部を押し上げた状態で前記ロック軸を前記ガイド部の上部に支持し、かつ前記筺体に対して設定値以上の振動が加えられた場合に、当該支持された前記ロック軸が前記ガイド部の上部から外れるように構成されたロック支持機構部と、を備えていることを特徴とする転倒防止装置である。
【発明の効果】
【０００７】
この発明によれば、筺体が地震などの振動を受けた際に、筺体の後端部に設けられたロック軸をロックしているロック支持機構部によって、ロック軸に対するロックを外すことができるので、筺体の後端部を下げて筺体を後方に傾けることができる。これにより、地震などの振動による筺体の転倒を防ぐことができると共に、筺体の前端部に設置する必要がないので、邪魔にならないようにすることができる。
【図面の簡単な説明】
【０００８】
【図１】この発明を鍵盤楽器に適用した一実施形態を示した正面図である。
【図２】図１に示された鍵盤楽器のＡ−Ａ矢視における断面図である。
【図３】図２示された鍵盤楽器の後端下部に設置された転倒防止装置を示した拡大断面図である。
【図４】図３示された転倒防止装置において、鍵盤楽器の後端下部に設けられた取付金具およびロック軸を示した要部の拡大断面図である。
【図５】図３示された転倒防止装置において、支持部材およびロック支持機構部を示した要部の拡大断面図である。
【図６】図３に示された転倒防止装置の断面を示し、（ａ）は図３のＢ−Ｂ矢視における拡大断面図、（ｂ）は図３のＣ−Ｃ矢視における拡大断面図である。
【図７】図２示された鍵盤楽器が後方に傾いた状態を示した断面図である。
【図８】図７に示された状態における鍵盤楽器の転倒防止装置を示した拡大断面図である。
【発明を実施するための形態】
【０００９】
以下、図１〜図８を参照して、この発明を鍵盤楽器に適用した一実施形態について説明する。
この鍵盤楽器は、図１および図２に示すように、楽器ケース１を備えている。この楽器ケース１は、鍵盤部２を収納するケース本体３と、このケース本体３を支持する一対の脚部４と、これら一対の脚部４の後端部における中間部に梁渡された補強板５とを備えている。
【００１０】
ケース本体３は、図１および図２に示すように、横方向に長い箱形状に形成されている。すなわち、このケース本体３は、側板を兼ねる一対の脚部４の上部下側に梁渡された棚板６と、この棚板６の前端部に設けられた前板７と、棚板６の後端部に設けられた後板８と、この後板８の上端部と側板である一対の脚部４の上端部とに梁渡された天板９とを備えている。
【００１１】
鍵盤部２は、図２に示すように、鍵盤シャーシ２ａ上に多数の鍵２ｂを並列に配列したものであり、ケース本体３内に配置されている。また、一対の脚部４は、その各下端部が前端部（図２では左端部）から後端部（図２では右端部）に向けて後部上りに少し傾斜して形成された構成になっている。
【００１２】
この楽器ケース１の両側に位置する一対の脚部４の後端下部には、図２および図３に示すように、転倒防止装置１０がそれぞれ設けられている。この転倒防止装置１０は、図３〜図６に示すように、脚部４の後端下部に設けられたロック軸１１と、楽器ケース１が配置される床などの載置面Ｔ上に配置された支持部材１２と、楽器ケース１の後端部を押し上げた状態でロック軸１１を係脱可能に支持するロック支持機構部１３と、を備えている。
【００１３】
この場合、一対の脚部４の後端下部には、図３および図４に示すように、切欠き部４ａが逆階段状に形成されている。すなわち、この切欠き部４ａは、下部側が広く、上部側が狭い形状に形成されている。また、この切欠き部４ａの下部後端部には、取付金具１４がビス１５によって取り付けられている。
【００１４】
この取付金具１４は、図３、図４および図６（ａ）に示すように、脚部４の切欠き部４ａの下部後端部にビス１５によって取り付けられる固定部１４ａと、この固定部１４ａの両側（図４では紙面の表裏面側）から脚部４の後方（図４では右側）に延びる一対の取付片１４ｂとを有している。
【００１５】
ロック軸１１は、図３、図４および図６（ａ）に示すように、丸棒状に形成され、取付金具１４の一対の取付片１４ｂに設けられた各取付孔１４ｃに挿入されて両側に突出した状態で取り付けられている。これにより、ロック軸１１は、脚部４の後端下部に取付金具１４を介して取り付けられている。
【００１６】
支持部材１２は、図３、図５および図６に示すように、楽器ケース１が配置される床などの載置面Ｔ上に配置されて、ロック軸１１を上下方向にガイドする第１支持体１６と、この第１支持体１６の後端部から楽器ケース１の後方に突出して配置されて、ロック支持機構部１３が取り付けられる第２支持体１７と、を備えている。
【００１７】
第１支持体１６は、図３、図５および図６に示すように、載置面Ｔ上に配置される底板部１６ａと、この底板部１６ａの両側に起立して設けられた一対の支持片１６ｂとを有している。この第１支持体１６の底板部１６ａは、脚部４の下面に対応する幅で楽器ケース１の前後方向に長い帯板状をなし、脚部４の切欠き部４ａに対する個所から脚部４の後方に延びて形成されている。この底板部１６ａの下面には、複数のゴム足１６ｃが設けられている。
【００１８】
一対の支持片１６ｂは、図３、図５および図６に示すように、底板部１６ａの両側に脚部４の切欠き部４ａに対応して設けられ、脚部４の後端下部を両側から挟んで切欠き部４ａを塞ぐように構成されている。これら一対の支持片１６ｂには、ロック軸１１の両端部をそれぞれ上下方向に沿ってガイドする一対のガイド孔１８が設けられている。これら一対のガイド孔１８は、楽器ケース１の後端部が上下方向に移動する長さとほぼ同じか、それよりも少し短い長さで形成されている。
【００１９】
また、第２支持体１７は、図５および図６（ｂ）に示すように、第１支持体１６の底板部１６ａの後部上に固定された固定板部１７ａと、この固定板部１７ａの一側部（図６（ｂ）では左側部）に起立して設けられた支持板部１７ｂと、この支持板部１７ｂの上部にロック軸１１と平行に折り曲げられた取付板部１７ｃと、を有している。この取付板部１７ｃには、ロック支持機構部１３を取り付けるための取付板１９が設けられている。
【００２０】
ロック支持機構部１３は、図３、図５および図６に示すように、ガイド孔１８に沿って上下方向に移動するロック軸１１の移動軌跡上に出没可能に突出して、ロック軸１１を第１支持体１６のガイド孔１８の上部に支持する支持突起部２０と、この支持突起部２０をロック軸１１の移動軌跡上に向けて付勢する付勢部材であるばね部材２１と、支持突起部２０がロック軸１１を支持してロックする支持力を調整する調整部材２２と、を備えている。
【００２１】
この場合、第２支持体１７の取付板部１７ｃには、図３、図５および図６に示すように、取付板１９が溶接によって固定されている。この取付板１９の中心には、ばね部材２１の一端部（図５では右端部）を保持するための保持突起部１９ａが、ガイド孔１８に沿って移動するロック軸１１の移動軌跡上に向けて突出して設けられている。
【００２２】
ばね部材２１は、図３、図５および図６に示すように、コイルばねであり、一端部（図５では右端部）に取付板１９の保持突起部１９ａが挿入し、これにより一端部が保持突起部１９ａで保持されている。また、このばね部材２１は、その他端部（図５では左端部）に支持突起部２０が取り付けられ、この支持突起部２０をロック軸１１の移動軌跡上に向けて付勢するように構成されている。
【００２３】
支持突起部２０は、図３、図５および図６に示すように、ばね部材２１の他端部（図５では左端部）に取り付けられる円板部２０ａと、この円板部２０ａに設けられた突起部２０ｂとを有している。これにより、この支持突起部２０は、ばね部材２１のばね力によって突起部２０ｂの先端がロック軸１１の移動軌跡上に押し出され、この押し出された突起部２０ｂによってロック軸１１を第１支持体１６のガイド孔１８の上部に支持するように構成されている。
【００２４】
この場合、突起部２０ｂは、図３および図５に示すように、その先端部が半球状に形成されている。このため、この突起部２０ｂは、ばね部材２１によってロック軸１１の移動軌跡上に押し出された際に、半球状の先端が丸棒状のロック軸１１の外周面の下側に当接することにより、円弧同士が相互に接触した状態で、ロック軸１１をガイド孔１８の上部に支持するように構成されている。
【００２５】
これにより、ロック支持機構部１３は、図３に示すように、通常の状態で楽器ケース１の後端部を押し上げて、ロック軸１１を第１支持体１６のガイド孔１８の上部に配置させ、この状態で支持突起部２０がロック軸１１を支持するように構成されている。また、このロック支持機構部１３は、図８に示すように、地震などによって一定以上の振動、つまりばね部材２１のばね力以上の負荷を伴う振動を受けると、支持突起部２０によるロック軸１１の支持が外れるように構成されている。
【００２６】
また、このロック支持機構部１３の調整部材２２は、図３、図５および図６に示すように、ばね部材２１を押える押え板２３と、この押え板２３を第２支持体１７に取り付けられた取付板１９に取り付ける一対の調整ねじ２４と、を備えている。押え板２３は、支持突起部２０の円板部２０ａを取付板１９に向けて押える押え部２３ａと、この押え部２３ａの上下端から取付板１９に向けて延びる一対のアーム部２３ｂと、これら一対のアーム部２３ｂに取付板１９と平行に設けられた一対の可動片２３ｃと、を有している。
【００２７】
この場合、押え部２３ａの中心部には、図３および図５に示すように、支持突起部２０の突起部２０ｂが挿入する貫通孔２５が設けられている。一対の可動片２３ｃには、調整ねじ２４が螺入するねじ孔２６がそれぞれ設けられている。また、取付板１９には、調整ねじ２４が挿入する一対の挿入孔２７が、一対の各可動片２３ｃの各ねじ孔２６に対応して設けられている。一対の調整ねじ２４は、取付板１９の各挿入孔２７に、その後部側からそれぞれ挿入して、一対の可動片２３ｃの各ねじ孔２６に螺入するように構成されている。
【００２８】
これにより、調整部材２２は、図３および図５に示すように、一対の調整ねじ２４を締め付けたり緩めたりすることにより、押え板２３をばね部材２１の付勢方向に沿って移動させて、ロック軸１１の移動軌跡内に突出する支持突起部２０の突出長さを調整し、支持突起部２０によるロック軸１１の支持力、つまり地震などによる振動に対する対抗力を調整するように構成されている。
【００２９】
すなわち、この調整部材２２は、図３および図５に示すように、一対の調整ねじ２４を締め付けると、押え板２３がばね部材２１のばね力に抗して取付板１９側に移動して、支持突起部２０をロック軸１１から離れる方向に移動させることにより、ロック軸１１に対する支持突起部２０の支持長さを短くして、地震などによる振動に対する対抗力を小さくするように構成されている。
【００３０】
また、この調整部材２２は、図３および図５に示すように、一対の調整ねじ２４を緩めると、押え板２３がばね部材２１のばね力によってロック軸１１側に移動して、支持突起部２０をロック軸１１側に移動させることにより、ロック軸１１に対する支持突起部２０の支持長さを長くして、地震などによる振動に対する対抗力を大きくするように構成されている。
【００３１】
次に、このような鍵盤楽器の転倒防止装置１０の作用について説明する。
この鍵盤楽器に転倒防止装置１０を設置する場合には、まず、脚部４の後端下部に設けられた切欠き部４ａの下部後端部に取付金具１４をビス１５によって取り付ける。この状態で、支持部材１２を脚部４の後端下部に配置する。
【００３２】
このときには、予め、第１支持体１６の底板部１６ａの後端部上に第２支持体１７を取り付けると共に、この第２支持体１７にロック支持機構部１３を取り付ける。すなわち、第２支持体１７にロック支持機構部１３を取り付ける場合には、ばね部材２１の一端部を第２支持体１７の取付板部１７ｃに設けられた保持突起部１９ａで保持し、このばね部材２１の他端部に支持突起部２０を配置する。
【００３３】
この状態で、ばね部材２１と支持突起部２０とを調整部材２２の押え板２３によって取付板１９に押え付ける。すなわち、押え板２３の押え部２３ａに設けられた貫通孔２５に支持突起部２０の突起部２０ｂを挿入させて、支持突起部２０の円板部２０ａに押え部２３ａを当接させ、この円板部２０ａおよびばね部材２１を取付板１９に押え付ける。この状態で、調整ねじ２４を取付板１９の各挿入孔２７にその後部側から挿入して、押え板２３の一対の可動片２３ｃの各ねじ孔２６に螺入する。
【００３４】
すると、押え板２３が、円板部２０ａおよびばね部材２１を取付板１９に押え付けた状態で、取付板１９に取り付けられる。これにより、ロック支持機構部１３が第２支持体１７に取り付けられる。この第２支持体１７を第１支持体１６の底板部１６ａの後端部上に取り付けると、ロック支持機構部１３が第１支持体１６の一対の支持片１６ｂの間に挿入した状態で配置される。
【００３５】
このようにして、第２支持体１７が第１支持体１６に取り付けられると、支持部材１２が構成される。この支持部材１２は、第１支持体１６の一対の支持片１６ｂの間に脚部４の後端下部を挿入させて挟んだ状態で、脚部４の後端下部に上下方向に移動可能に配置される。この状態で、脚部４に取り付けられた取付金具１４の一対の取付片１４ｂの各取付孔１４ｃと、第１支持体１６の一対の支持片１６ｂに設けられた一対のガイド孔１８と、を対応させる。
【００３６】
そして、第１支持体１６の一対のガイド孔１８と、脚部４に取り付けられた取付金具１４の各取付孔１４ｃとに、ロック軸１１を挿入し、このロック軸１１の両端部を一対のガイド孔１８からそれぞれ突出させ、この突出したロック軸１１の端部に抜け止め部材１１ａを取り付ける。これにより、脚部４の後端下部に支持部材１２がロック軸１１によって上下方向に移動可能な状態で連結される。
【００３７】
この状態で、ロック軸１１をロック支持機構部１３の支持突起部２０で支持する場合には、まず、調整ねじ２４を締め付けてばね部材２１を圧縮させて、押え板２３を第２支持体１７の取付板１９に引き寄せる。これにより、支持突起部２０の先端がガイド孔１８に沿って上下方向の移動するロック軸１１の移動軌跡上から離れる。
【００３８】
そして、支持部材１２を床などの載置面Ｔ上に配置した状態で、楽器ケース１の後端部を持ち上げる。すると、脚部４の後端部が持ち上げられると共に、ロック軸１１が第１支持体１６のガイド孔１８に沿って上方に向けて移動し、ロック支持機構部１３の支持突起部２０の先端を通り越してその上方に移動する。
【００３９】
この状態で、調整ねじ２４を緩めて押え板２３をロック軸１１側に向けて移動させ、支持突起部２０の先端をロック軸１１の移動軌跡上に突出させ、この突出した支持突起部２０の突起部２０ｂによってロック軸１１を支持する。これにより、脚部４の後端下部が載置面Ｔの上方に浮いた状態で、支持部材１２によって支持される。
【００４０】
この状態で、一対の調整ねじ２４を締め付けたり緩めたりすることにより、押え板２３をばね部材２１の付勢方向に沿って移動させて、ロック軸１１の移動軌跡内に突出する支持突起部２０の突出長さを調整し、支持突起部２０によるロック軸１１の支持力、つまり地震などによる振動に対する支持力を微調整して、例えば震度３程度に調整する。これにより、楽器ケース１の脚部４の後端下部に転倒防止装置１０が設置される。
【００４１】
このときには、一対の脚部４の各下端部が前端部から後端部に向けて後部上りに少し傾斜しているので、脚部４の後端下部が載置面Ｔの上方に浮いた状態で支持部材１２によって支持された際に、楽器ケース１のケース本体３が水平な状態となり、これに伴ってケース本体３内の鍵盤部２が水平な状態になる。
【００４２】
このように転倒防止装置１０が設置された楽器ケース１を壁際に配置して、転倒防止装置１０を壁に接近させて配置する。この状態では、通常の鍵盤楽器として鍵盤部２を操作して演奏をすることができる。また、この状態で、楽器ケース１が地震などによって震度３程度の振動を受けると、脚部４の後端下部に設けられたロック軸１１がロック支持機構部１３の支持突起部２０から外れて、楽器ケース１が後方に傾く。
【００４３】
すなわち、楽器ケース１が震度３程度の振動を受けると、ロック軸１１をロックしているロック支持機構部１３の支持突起部２０とロック軸１１とが振動し、この相互の振動によってロック軸１１が支持突起部２０をばね部材２１のばね力に抗してロック軸１１の移動軌跡上から離れる方向に移動させ、ロック軸１１が支持突起部２０の突起部２０ｂから外れる。
【００４４】
すると、ロック軸１１が第１支持体１６のガイド孔１８に沿ってその上部から下部に移動する。これに伴って、持ち上げられていた脚部４の後端下部が下側に移動して、楽器ケース１が後方に傾く。このときには、ロック軸１１が第１支持体１６のガイド孔１８の下端部に当接して、脚部４の後端下部が床などの載置面Ｔとの間に僅かな隙間をもって支持され、脚部４の後端下部が載置面Ｔに当接することがない。
【００４５】
また、このときには、第２支持体１７が脚部４の後方に配置されているので、脚部４の後端下部が載置面Ｔに当接することなく、載置面Ｔとの間に僅かな隙間をもって第１支持体１６が脚部４の後端下部を支持しても、第２支持体１７によって脚部４の後端部が押えられている。これにより、楽器ケース１を安定した状態で後方に傾け、楽器ケース１が前後方向に倒れるのを防ぐことができる。
【００４６】
このように、この鍵盤楽器の転倒防止装置１０によれば、楽器ケース１の後端下部に設けられたロック軸１１と、楽器ケース１が配置される載置面Ｔ上に配置されて、ロック軸１１を上下方向にガイドするガイド孔１８を有する支持部材１２と、この支持部材１２に取り付けられ、楽器ケース１の後端下部を押し上げた状態でロック軸１１をガイド孔１８の上部に支持し、かつ前記筺体に対して設定値以上の振動が加えられた場合に、当該支持された前記ロック軸が前記ガイド部の上部から外れるように構成されたロック支持機構部１３と、を備えていることにより、地震などの振動による楽器ケース１の転倒を防ぐことができると共に、転倒防止装置１０が邪魔にならないようにすることができる。
【００４７】
すなわち、この鍵盤楽器の転倒防止装置１０では、楽器ケース１が地震などの振動を受けた際に、楽器ケース１の後端下部に設けられたロック軸１１をロックしているロック支持機構部１３によって、ロック軸１１に対するロックを外すことができるので、楽器ケース１の後端下部を下げて楽器ケース１を後方に傾けることができる。これにより、地震などの振動による楽器ケース１の転倒を防ぐことができると共に、楽器ケース１の後端下部に転倒防止装置１０を設置していることにより、転倒防止装置１０が邪魔にならないようにすることができる。
【００４８】
この場合、支持部材１２は、ガイド孔１８を有して楽器ケース１の後端下部に対応する第１支持体１６と、ロック支持機構部１３が取り付けられ、第１支持体１６の後端下部から楽器ケース１の後方に突出して配置された第２支持体１７と、を備えていることにより、第２支持体１７に取り付けられたロック支持機構部１３によって、楽器ケース１の後端下部に設けられたロック軸１１を第１支持体１６のガイド孔１８の上部に支持することができ、これにより楽器ケース１の後端下部を押し上げた状態で、楽器ケース１を確実にかつ良好に支持することができる。
【００４９】
また、この支持部材１２は、地震などの振動によってロック軸１１に対するロック支持機構部１３のロックが外れた際に、ロック軸１１が第１支持体１６のガイド孔１８に沿って降下しても、ロック軸１１が第１支持体１６のガイド孔１８の下端部に当接することにより、楽器ケース１の後端下部が床などの載置面Ｔに当接することがなく、載置面Ｔとの間に僅かな隙間をもって楽器ケース１の後端下部を支持することができる。
【００５０】
このときには、第２支持体１７が楽器ケース１の脚部４の後方に突出して配置されているので、楽器ケース１の後端下部が載置面Ｔに当接することなく、僅かな隙間をもって第１支持体１６が楽器ケース１の後端下部を支持しても、第２支持体１７によって楽器ケース１の後端部を押えることができ、これにより楽器ケース１を安定した状態で後方に傾けることができる。
【００５１】
また、この転倒防止装置１０では、ロック支持機構部１３が、ロック軸１１の上下方向の移動軌跡上に出没可能に突出してロック軸１１をガイド孔１８の上部に支持する支持突起部２０と、この支持突起部２０をロック軸１１の移動軌跡上に向けて付勢するばね部材２１とを備えていることにより、ばね部材２１のばね力によって支持突起部２０をロック軸１１の移動軌跡上に確実に押し出して配置させることができ、この押し出された支持突起部２０によってロック軸１１を第１支持体１６のガイド孔１８の上部に確実に支持することができる。
【００５２】
この場合、ロック支持機構部１３は、ロック軸１１を支持してロックする支持力を調整する調整部材２２を備えているので、この調整部材２２によって支持突起部２０によるロック軸１１の支持力、つまり地震などによる振動に対する対抗力を最適な状態に調整することができる。
【００５３】
すなわち、この調整部材２２は、ばね部材２１を押える押え板２３と、この押え板２３を第２支持体１７に取り付ける一対の調整ねじ２４と、を備えているので、一対の調整ねじ２４を締め付けたり緩めたりすることにより、簡単にロック軸１１を支持する支持突起部２０の支持長さを微妙に調整して、地震などによる振動に対する支持力を最適な状態に調整することができる。
【００５４】
なお、上述した実施形態では、ロック支持機構部１３の付勢部材として、ばね部材２１を用いた場合について述べたが、必ずしもばね部材２１である必要はなく、ゴムやエラストマなどの弾性部材を用いても良い。
【００５５】
また、上述した実施形態では、鍵盤楽器に適用した場合について述べたが、必ずしも鍵盤楽器である必要はなく、例えば箪笥などの家具にも適用することができる。
【００５６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５７】
（付記）
請求項１に記載の発明は、筺体の後端部に設けられたロック軸と、前記筺体が配置される載置面上に配置され、前記ロック軸を上下方向にガイドするガイド部を有する支持部材と、この支持部材に取り付けられ、前記筺体の後端部を押し上げた状態で前記ロック軸を前記ガイド部の上部に支持し、かつ前記筺体に対して設定値以上の振動が加えられた場合に、当該支持された前記ロック軸が前記ガイド部の上部から外れるように構成されたロック支持機構部と、を備えていることを特徴とする転倒防止装置である。
【００５８】
請求項２に記載の発明は、請求項１に記載の転倒防止装置において、前記支持部材は、前記ガイド部が設けられ、前記筺体の後部下側に配置される第１支持体と、前記ロック支持機構部が取り付けられ、前記第１支持体の後端部から前記筺体の後方に突出した状態で配置される第２支持体と、を備えていることを特徴とする転倒防止装置である。
【００５９】
請求項３に記載の発明は、請求項１または請求項２に記載の転倒防止装置において、前記ロック支持機構部は、前記ガイド部に沿って上下方向に移動する前記ロック軸の移動軌跡上に出没可能に突出して前記ロック軸を前記ガイド部の上部に支持する支持突起部と、この支持突起部を前記ロック軸の前記移動軌跡上に向けて付勢する付勢部材とを備えていることを特徴とする転倒防止装置である。
【００６０】
請求項４に記載の発明は、請求項１〜請求項３のいずれかに記載の転倒防止装置において、前記ロック支持機構部は、前記ロック軸を支持してロックする支持力を調整する調整部材を備えていることを特徴とする転倒防止装置である。
【００６１】
請求項５に記載の発明は、請求項１〜請求項４のいずれかに記載された転倒防止装置を備えていることを特徴とする鍵盤楽器である。
【符号の説明】
【００６２】
１  楽器ケース
４  脚部
１０  転倒防止装置
１１  ロック軸
１２  支持部材
１３  ロック支持機構部
１４  取付金具
１６  第１支持体
１７  第２支持体
１８  ガイド孔
１９  取付板
２０  支持突起部
２１  ばね部材
２２  調整部材
【図１】
2015079136.tif 000003
【図２】
2015079136.tif 000004
【図３】
2015079136.tif 000005
【図４】
2015079136.tif 000006
【図５】
2015079136.tif 000007
【図６】
2015079136.tif 000008
【図７】
2015079136.tif 000009
【図８】
2015079136.tif 000010